(57)【特許請求の範囲】
【請求項１】
インレットが形成された周壁と、底壁とを有する筒状の第１ハウジングと、
周壁と、アウトレットが形成された底壁とを有する筒状の第２ハウジングと、
前記第１ハウジング及び前記第２ハウジングの内部に設けられた筒状のフィルタエレメントと、
を備えた筒形エアクリーナにおいて、
前記第１ハウジングの内部に前記第２ハウジングが挿通されており、前記第１ハウジングの周壁と前記第２ハウジングの周壁とによって二重管構造が構成されるとともに前記第２ハウジングの周壁が前記インレットの開口に対向して配置され、
前記第１ハウジングの周壁の開口端部には、前記第１ハウジングと前記第２ハウジングとの間をシールするシール部が形成され、
前記第１ハウジングの周壁の下部には排出部が形成されている、
筒形エアクリーナ。
【請求項２】
前記インレットは前記第１ハウジングの周壁の上部に形成されており、
前記第２ハウジングの周壁の開口端のうち下部が上部よりも前記第１ハウジングの底壁から離間している、
請求項１に記載の筒形エアクリーナ。
【請求項３】
前記排出部は前記第２ハウジングの周壁に対向して設けられている、
請求項１または請求項２に記載の筒形エアクリーナ。
【請求項４】
前記第１ハウジングの内周面の下部が同第１ハウジングの底壁から前記排出部に向けて下向きに傾斜している、
請求項１〜請求項３のいずれか一項に記載の筒形エアクリーナ。
【請求項５】
前記第２ハウジングの内周面の下部が同第２ハウジングの底壁から開口端に向けて下向きに傾斜している、
請求項１〜請求項４のいずれか一項に記載の筒形エアクリーナ。
【発明の詳細な説明】
【技術分野】
【０００１】
本発明は、周壁にインレットが形成された筒状の第１ハウジングと、底壁にアウトレットが形成された第２ハウジングと、第１ハウジング及び第２ハウジングの内部に設けられた筒状のフィルタエレメントとを備えた筒形エアクリーナに関する。
【背景技術】
【０００２】
特許文献１には、インレットが形成された周壁とアウトレットが形成された底壁とを有する円筒状のボデー（以下、ケース）と、このケースの開口に設けられたカバー（以下、キャップ）と、ケースとキャップとの間に設けられた筒状のフィルタエレメントとを備えた筒形エアクリーナ（以下、エアクリーナ）が開示されている。ケース及びキャップは硬質樹脂材料によって形成されている。
【０００３】
キャップの内面にはエアガイドと称される円筒状の分離板が一体成形されており、この分離板とケースの周壁とによって二重管構造が構成されている。また、ケースの底壁の内面にはエアガイドと称される円筒状の分離板が一体成形されており、この分離板とケースの周壁とによって二重管構造が構成されている。これら分離板の内周側に上記フィルタエレメントが収容されている。また、キャップの分離板とケースの分離板との間には軸線方向において隙間が形成されている。
【０００４】
上記インレットは、キャップの分離板と径方向において対向する位置に設けられている。また、ケースの周壁においてケースの分離板と径方向において対向する位置には排出弁が設けられている。
【０００５】
こうしたエアクリーナにおいては、インレットからエアクリーナの内部に導入された吸気は、ケースの周壁とキャップの分離板との間を通ってフィルタエレメントに向けて旋回しつつ流れる。そして、フィルタエレメントを通過する際に吸気に含まれるダストが捕捉されるとともに、フィルタエレメントを通過した吸気はアウトレットを通じてエアクリーナの外部に導出される。
【０００６】
また、比較的大きなダストや水などの異物も吸気と共にインレットを通じてエアクリーナの内部に導入される。このような異物は、旋回する吸気から遠心分離されてケースの周壁と分離板との間に導かれる。そして、排出弁を通じてエアクリーナの外部に排出される。
【先行技術文献】
【特許文献】
【０００７】
【特許文献１】実開平５−３０４５６号公報
【発明の概要】
【発明が解決しようとする課題】
【０００８】
ところで、特許文献１のエアクリーナの場合、ケースが周壁と分離壁との二重管構造を有するものとされている。そのため、成形型を用いてケースを成形する工程が煩雑になるといった問題が生じる。
【０００９】
本発明の目的は、吸気に含まれる比較的大きなダストや水などの異物を簡単な構成によって分離除去することのできる筒形エアクリーナを提供することにある。
【課題を解決するための手段】
【００１０】
上記目的を達成するための筒形エアクリーナは、インレットが形成された周壁と、底壁とを有する筒状の第１ハウジングと、周壁と、アウトレットが形成された底壁とを有する筒状の第２ハウジングと、前記第１ハウジング及び前記第２ハウジングの内部に設けられた筒状のフィルタエレメントと、を備えたものであり、前記第１ハウジングの内部に前記第２ハウジングが挿通されており、前記第１ハウジングの周壁と前記第２ハウジングの周壁とによって二重管構造が構成されるとともに前記第２ハウジングの周壁が前記インレットの開口に対向して配置され、前記第１ハウジングの周壁の開口端部には、前記第１ハウジングと前記第２ハウジングとの間をシールするシール部が形成され、前記第１ハウジングの周壁の下部には排出部が形成されている。
【００１１】
同構成によれば、インレットを通じてエアクリーナの内部に導入された吸気は、第１ハウジングの周壁と第２ハウジングの周壁との間を通ってフィルタエレメントに向けて流れる。そして、フィルタエレメントを通過する際に吸気に含まれるダストが捕捉されるとともに、フィルタエレメントを通過した吸気はアウトレットを通じて外部に導出される。
【００１２】
一方、比較的大きなダストや水などの異物も吸気と共にインレットを通じてエアクリーナの内部に導入されるが、こうした異物の多くは慣性力によって直進することで第２ハウジングの周壁に衝突することとなる。周壁に衝突した異物は、周壁の外周面に沿って落下するとともに、第１ハウジングの周壁の下部に形成された排出部を通じてエアクリーナの外部に排出される。
【００１３】
このように、上記構成によれば、第１ハウジングの周壁と第２ハウジングの周壁とによって二重管構造が構成されることから、第２ハウジングの周壁によって吸気に含まれるダストや水などの異物を分離することができる。
【発明の効果】
【００１４】
本発明によれば、吸気に含まれる比較的大きなダストや水などの異物を簡単な構成によって分離除去することができる。
【図面の簡単な説明】
【００１５】
【図１】筒形エアクリーナの一実施形態について、エアクリーナの斜視図。
【図２】図１の２−２線に沿ったエアクリーナの断面図。
【図３】図２と同じエアクリーナの断面図であって、同実施形態の作用を説明する図。
【図４】変形例のエアクリーナの断面図。
【図５】他の変形例のエアクリーナの断面図。
【発明を実施するための形態】
【００１６】
以下、図１〜図３を参照して、一実施形態について説明する。
図１及び図２に示すように、筒形エアクリーナ（以下、エアクリーナ１０）は、いずれも硬質樹脂材料によって形成されて円筒状をなす第１ハウジング２０及び第２ハウジング３０と、第１ハウジング２０及び第２ハウジング３０の内部に設けられた円筒状（菊花形とも称される。）のフィルタエレメント５０とを備えている。
【００１７】
第１ハウジング２０は、円筒状の周壁２１と周壁２１の一端（図２の右端）に形成された底壁２２とを有している。周壁２１はその開口２３から底壁２２に向けて縮径されている。また、周壁２１の上部には円筒状のインレット２５が上方に向けて突出して形成されている。このインレット２５には、図示しないインレットダクトが接続される。
【００１８】
第２ハウジング３０は、円筒状の周壁３１と周壁３１の一端（図２の左端）に形成された底壁３２とを有している。周壁３１はその開口３３から底壁３２に向けて縮径されている。また、底壁３２の中心には、円筒状のアウトレット３５が軸線方向外側に向けて突出して形成されている。
【００１９】
図２に示すように、第１ハウジング２０の周壁２１の内部には、その開口２３を通じて第２ハウジング３０の周壁３１が挿通されており、これら周壁２１，３１は同軸上に配置されている。したがって、第１ハウジング２０の周壁２１と第２ハウジング３０の周壁３１とによって二重管構造が構成されている。
【００２０】
ここで、第１ハウジング２０の底壁２２は軸線方向に直交しているのに対して、第２ハウジング３０の周壁３１の開口端３４は上下方向において下側ほど第１ハウジング２０の底壁２２から離間するように傾斜している。
【００２１】
第２ハウジング３０の周壁３１の上部外周面は径方向においてインレット２５の開口２６に対向している。
第１ハウジング２０の周壁２１の下部には、排出部２８が下方に向けて突出して形成されている。この排出部２８は、フランジ部２９に隣接して形成されており、径方向において第２ハウジング３０の周壁３１の外周面に対向している。なお、排出部２８には、車両振動などにより開閉するダストカップＤＣが装着されている。
【００２２】
上述したように周壁２１，３１は底壁２２，３２に向けてそれぞれ縮径されている。したがって、第１ハウジング２０の内周面２７の下部は、底壁２２から排出部２８に向けて下向きに傾斜している。また、第２ハウジング３０の内周面３７の下部は、底壁３２から開口端３４に向けて下向きに傾斜している。
【００２３】
第１ハウジング２０の周壁２１の開口端部２４には、フランジ部２９が全周にわたって形成されている。また、第２ハウジング３０の周壁３１には、上記フランジ部２９と軸線方向において対向する円板状のフランジ部３９が一体形成されている。このフランジ部３９と第１ハウジング２０のフランジ部２９とによって、円環状のシール部材４１が挟持されている。これらフランジ部２９，３９とシール部材４１によって、第１ハウジング２０と第２ハウジング３０との間をシールするシール部４０が形成される。
【００２４】
フィルタエレメント５０は、第１ハウジング２０の底壁２２と第２ハウジング３０の底壁３２との間に設けられている。
フィルタエレメント５０は、長方形状の濾紙や不織布などを襞折りするとともに円筒状に丸めることにより形成された濾材５１を備えている。すなわち、濾材５１はフィルタエレメント５０の軸線方向に沿って延びる折り線にて襞折りされている。
【００２５】
次に、本実施形態の作用について説明する。
図３に細い矢印にて示すように、インレット２５を通じてその開口２６からエアクリーナ１０の内部に導入された吸気は、第１ハウジング２０の周壁２１と第２ハウジング３０の周壁３１との間を通ってフィルタエレメント５０に向けて流れる。そして、フィルタエレメント５０の濾材５１を通過する際に吸気に含まれるダストが捕捉されるとともに、フィルタエレメント５０を通過した吸気はアウトレット３５を通じてエアクリーナ１０の外部に導出される。
【００２６】
一方、図３に太い矢印にて示すように、比較的大きなダストや水などの異物ＦＭも吸気と共にインレット２５を通じてその開口２６からエアクリーナ１０の内部に導入されるが、こうした異物ＦＭの多くは慣性力によって直進することで第２ハウジング３０の周壁３１に衝突することとなる。周壁３１に衝突した異物ＦＭは、周壁３１の外周面に沿って落下するとともに、第１ハウジング２０の周壁２１の下部に形成された排出部２８に入り込む。そして、車両振動などによってダストカップＤＣが開放されると、排出部２８内の異物ＦＭがエアクリーナ１０の外部に排出される。
【００２７】
以上説明した本実施形態に係る筒形エアクリーナによれば、以下に示す効果が得られるようになる。
（１）第１ハウジング２０の内部に第２ハウジング３０が挿通されており、第１ハウジング２０の周壁２１と第２ハウジング３０の周壁３１とによって二重管構造が構成されるとともに第２ハウジング３０の周壁３１がインレット２５の開口２６に対向して配置されている。第１ハウジング２０の周壁２１の開口端部２４には、第１ハウジング２０と第２ハウジング３０との間をシールするシール部４０が形成され、第１ハウジング２０の周壁２１の下部には排出部２８が形成されている。
【００２８】
こうした構成によれば、第１ハウジング２０の周壁２１と第２ハウジング３０の周壁３１とによって二重管構造が構成されることから、第２ハウジング３０の周壁３１によって吸気に含まれるダストや水などの異物ＦＭを分離することができる。したがって、比較的大きなダストや水などの異物ＦＭを簡単な構成によって分離除去することができる。
【００２９】
（２）インレット２５は第１ハウジング２０の周壁２１の上部に形成されており、第２ハウジング３０の周壁３１の開口端３４のうち下部が上部よりも第１ハウジング２０の底壁２２から離間している。
【００３０】
第２ハウジング３０の周壁３１の開口端３４と第１ハウジング２０の底壁２２とが近接して配置されるほど、換言すれば、第２ハウジング３０の周壁３１の開口端３４と第１ハウジング２０の底壁２２との間の隙間が小さくされるほど、エアクリーナ１０の通気抵抗が増大するおそれがある。
【００３１】
この点、上記構成によれば、第２ハウジング３０の周壁３１のうち、上部については第１ハウジング２０のインレット２５に対向させつつ、下部については第１ハウジング２０の底壁２２との距離を上部よりも大きく確保することができる。このため、第２ハウジング３０の周壁３１の開口端３４と第１ハウジング２０の底壁２２との間の隙間が小さくなることに起因して通気抵抗が増大することを抑制することができる。
【００３２】
（３）排出部２８は第２ハウジング３０の周壁３１に対向して設けられている。このため、排出部２８に入り込んだダストや水などの異物ＦＭがフィルタエレメント５０に吸われることが同周壁３１によって抑制される。したがって、ダストや水などの異物ＦＭが吸われることに起因してフィルタエレメント５０が劣化することを抑制することができる。
【００３３】
（４）第１ハウジング２０の内周面２７の下部が同第１ハウジング２０の底壁２２から排出部２８に向けて下向きに傾斜している。このため、図３に二点鎖線にて示すように、第１ハウジング２０の内周面２７の下部に溜まった異物ＦＭが自重により排出部２８に向けて流れ落ちる。したがって、排出部２８に向けて異物を案内することができる。
【００３４】
（５）第２ハウジング３０の内周面３７の下部が第２ハウジング３０の底壁３２から開口端３４に向けて下向きに傾斜している。このため、図３に二点鎖線にて示すように、第２ハウジング３０の周壁３１の内部に入り込んでその内周面３７の下部に溜まった異物ＦＭが自重により開口端３４に向けて流れ落ちるとともに、第２ハウジング３０の開口３３から排出部２８が形成された第１ハウジング２０の内周面２７の下部に落下する。したがって、排出部２８に向けて異物を案内することができる。
【００３５】
＜変形例＞
なお、上記実施形態は、例えば以下のように変更することもできる。
・第１ハウジング２０の周壁２１の内径を軸線方向において同一に設定することもできる。また、第２ハウジング３０の周壁３１の内径を軸線方向において同一に設定することもできる。
【００３６】
・図２に二点鎖線にて示すように、第２ハウジング３０の周壁３１の形状を排出部２８と径方向において対向しないように変更することもできる。
・図４に示すように、第２ハウジング３０の周壁３１の開口端３４と第１ハウジング２０の底壁２２との間の距離を周方向全体にわたって同一に設定することもできる。またこの場合、例えば図５に示すように、第２ハウジング３０の周壁３１に複数の貫通孔３８を形成することもできる。この場合、第１ハウジング２０の周壁２１と第２ハウジング３０の周壁３１との間を通ってフィルタエレメント５０に向かう吸気の一部が貫通孔３８を通じて第２ハウジング３０の内部に流入する。このため、第２ハウジング３０の周壁３１によって吸気の流路が制限されることに起因して通気抵抗が増大することを抑制することができる。なお、周壁３１のうちインレット２５の開口２６と径方向において対向する部分や排出部２８と径方向において対向する部分には上記貫通孔３８を形成しないことが好ましい。これは、貫通孔３８を通じてダストや水などの異物ＦＭが周壁３１の内部に流入することを阻止するためである。
【００３７】
・第１ハウジング２０及び第２ハウジング３０を楕円筒状や長円筒状をなすものに変更することもできる。
【符号の説明】
【００３８】
１０…エアクリーナ、２０…第１ハウジング、２１…周壁、２２…底壁、２３…開口、２４…開口端部、２５…インレット、２６…開口、２７…内周面、２８…排出部、２９…フランジ部、３０…第２ハウジング、３１…周壁、３２…底壁、３３…開口、３４…開口端、３５…アウトレット、３７…内周面、３８…貫通孔、３９…フランジ部、４０…シール部、４１…シール部材、５０…フィルタエレメント、５１…濾材、ＤＣ…ダストカップ。
【図１】
0006459841.tif 000002
【図２】
0006459841.tif 000003
【図３】
0006459841.tif 000004
【図４】
0006459841.tif 000005
【図５】
0006459841.tif 000006